(57)【要約】    【課題】  サンプルの選択が迅速に行えるようにする。    【解決手段】  収容する中身を識別する情報が表示された中身表示手段がキャップ側から見れるように備えられたキャップ付きサンプル瓶にサンプルを収容し、全てのサンプル瓶の中身表示手段を一覧できるように引き出しあるいは棚に陳列させて収納し保管するものである。【選択図】        図５
2005047627.tif 000002
【特許請求の範囲】
【請求項１】
収容する中身を識別する情報が表示された中身表示手段がキャップ側から見れるように備えられたキャップ付きサンプル瓶にサンプルを収容し、全てのサンプル瓶の前記中身表示手段を一覧できるように引き出しあるいは棚に陳列させて収納し保管することを特徴とするサンプルの保管方法。
【請求項２】
前記サンプル瓶は、その側面に貼付された中身説明ラベルのメモ欄にサンプルに関する情報を記録したことを特徴とする請求項１記載のサンプルの保管方法。
【発明の詳細な説明】
【技術分野】
【０００１】
本発明は、サンプルの保管方法に関する。
【背景技術】
【０００２】
香料等のサンプルはキャップ（蓋）付きのサンプル瓶に入れられた状態で配付され保管されることが一般的である。サンプル瓶には香料サンプルの名称やその香料の説明、サンプル提供会社の社名やハウスマーク並びにその他の情報例えば法律で記載が義務付けられた注意書きなどが記載されたラベル（本明細書では、中身説明ラベルと呼ぶ）が貼り付けられている。サンプル瓶は一般に小容量であるため、最も面積の広い側面に中身説明ラベルを貼付することが一般的である。そして、香料サンプルの配付を受けた顧客は中身説明ラベルの記載や営業担当者等による説明等を香料選択の手掛かりにしている。また、キャップの上面にはサンプル提供会社名が刻印文字等によって表示される事が多い。
【０００３】
この香料サンプルの配付は営業担当者（詳しく説明するため、研究担当者が同行することが多い）による手渡しが一般的である。サンプル配付の際には、説明文書を添付することもあるが、多くの場合には、顧客は営業担当者等より中身の香料に関する説明を口頭で受ける。この際に、顧客はサンプル瓶のキャップを外して中身の香料を試しに嗅いで香りを確認したり、サンプル品の特徴や単価などについて質問したりすることが多い。そして、口頭説明等で得た情報や試し嗅ぎなどで得た印象などをメモすることが少なくない。また、一度に複数種類の香料サンプルを配付することも多く、その場合には複数のサンプル瓶のキャップを一度に外して香料の嗅ぎ比べを行うこともある。
【０００４】
また、香料のサンプルは多岐多様にわたり、且つ数が多い。例えばリンゴ香料においても青森産や米国産などの産地別、紅玉や王林などの品種別、青いリンゴや完熟リンゴなどの熟度別、更には子供や高年齢層など、ターゲットとする年齢層ごとに異なったサンプルを調製するため、一つの商品開発に数十種類以上の香料サンプルを検討することは珍しいことではない。こうした香料サンプルは、繰り返し検討され、その商品開発が終わるまで保管されるものであるが、保管されるサンプル瓶の数は非常に多いものになる。
【０００５】
【特許文献１】実開昭６０−１５４２５８号公報
【特許文献２】特開２０００−２５５６１８号公報
【特許文献３】実開昭６３−９４１８４号公報
【特許文献４】実開平４−３４７０号公報
【特許文献５】実開昭６２−１４４７１号公報
【特許文献６】特開昭５７−６８７９号公報
【特許文献７】実開平２−８７７３９号公報
【特許文献８】特開平９−２６７５１号公報
【発明の開示】
【発明が解決しようとする課題】
【０００６】
しかしながら、従来のサンプル瓶は使い勝手が大変悪いものである。つまり、瓶の側面の中身説明ラベルを見なければ内容物・サンプルの確認をすることができないことから、一覧しただけでサンプルを識別できるように保管するには、保管用棚にサンプル瓶の側面の中身説明ラベルが見られるように並べて陳列しなければならない。このため、サンプル瓶を多数並べて収納する広いサンプル棚が必要である。また、引き出しの中にサンプル瓶を立てて並べて収納する場合には、引き出しを開けて上から見ただけではサンプル瓶の中にどの香料サンプルが入っているのかを判別することができない。このため、サンプル瓶を１つ１つ手にとって中身説明ラベルを判読しなければならず、目的の香料サンプルのサンプル瓶を迅速に取り出すのが困難であり、特に多量のサンプル瓶を保管する場合ほど必要とするサンプル瓶の迅速な取り出しが難しくなり、使い勝手の悪い保管状況となる問題を有している。また、サンプルの中身を判別するにも、大量のサンプル瓶を１つ１つ手にとって中身説明ラベルを判読しなければならず、時間と手間がかかり、面倒な作業となる。
【０００７】
また、サンプル瓶の側面に貼り付けた中身説明ラベルにサンプル瓶の中身表示が記載されており、キャップには中身表示が記載されていなかったので、香料の嗅ぎ比べを行う場合等、複数のサンプル瓶のキャップを一度に外したときに、どのキャップがどのサンプル瓶のものであるかが不明になることがある。サンプル瓶の中身が香料の場合は、キャップを間違えると香りの汚染（コンタミネーション）が容易に起こり、サンプルの香りが変わってしまうため、サンプルとして機能しないこともある。そういう使い勝手の悪さも指摘されている。更に、このように使い勝手の悪いサンプル瓶を用いれば、プレゼンテーション等においても香りの汚染などでサンプルの正確な香りを伝えられなかったり、顧客の印象にも残らず、有益であるとは言えないし、サンプル提供品が選ばれる後押しをする助けにもならない。
【０００８】
さらに、個々のサンプルに関する説明を受け、それぞれのサンプルの特性等に関する情報を入手しても、それがサンプル瓶と一元管理されなければ役に立たない。１つの香料を選択するに当たっても、何百とあるサンプル瓶の全てについて別に管理してあるデータベースやメモ等と一々突き合わせて選ぶことは面倒であり、使い勝手の悪いものである。即ち、サンプルの中身に関する情報が欠落したり、その情報を得るのが不便であり、活用し難いものである。
【０００９】
更には、営業担当者等も使い勝手の良いサンプル瓶を使用して香料サンプルを提供したり保管したり出来るようにすることで、顧客に対するサービスを向上させたいと望んでいる。
【００１０】
本発明は、サンプル瓶を密に保管でき、かつサンプルの選択が迅速に行えるサンプルの保管方法を提供することを目的とする。更に、これらを達成することにより、顧客に対するサービスを向上させることを目的とする。  
【課題を解決するための手段】
【００１１】
上記目的を達成するために、請求項１記載のサンプルの保管方法は、収容する中身を識別する情報が表示された中身表示手段がキャップ側から見れるように備えられたキャップ付きサンプル瓶にサンプルを収容し、全てのサンプル瓶の中身表示手段を一覧できるように引き出しあるいは棚に陳列させて収納し保管するようにしている。したがって、サンプル瓶が収納されている引き出しや棚からサンプル瓶を取り出さなくても中身表示手段が見えることになり、サンプル瓶の中身を保管状態のまま判別することができる。
【００１２】
また、このサンプルの保管方法においては、サンプル瓶の側面に貼付された中身説明ラベルのメモ欄にサンプルに関する情報の記録を添えることが好ましい。この場合には、中身表示手段から得られる情報で任意のサンプル瓶を取り出し、そのサンプル瓶の側面の中身説明ラベルのメモ欄に直接書き込まれた記録からサンプルの中身に関する更なる情報を得て、サンプルを試してみるか否かの判断材料とすることができる。
【００１３】
なお、キャップ付きサンプル瓶、キャップ付き香料サンプル瓶の中身判別方法、キャップ付きサンプル瓶への情報記録方法、香料サンプルのプレゼンテーション方法として、以下のものがある。即ち、サンプル品（試供品）を収容するキャップ付きサンプル瓶、キャップ付き香料サンプル瓶の中身判別方法、キャップ付きサンプル瓶への情報記録方法、香料サンプルのプレゼンテーション方法に関するものである。
【００１４】
（１）  上から見てサンプルの中身が判るようにした中身表示手段を備えることを特徴とするキャップ付きサンプル瓶。
（２）  前記中身表示手段は、キャップの上面に貼付され且つ中身表示が記載されたシート状部材であることを特徴とする前記（１）記載のキャップ付きサンプル瓶。
（３）  前記シート状部材はキャップの上面形状と相似形であることを特徴とする前記（１）または前記（２）記載のキャップ付きサンプル瓶。
（４）  前記中身表示手段は、瓶本体の肩に貼付され且つ中身表示が記載されたシート状部材であることを特徴とする前記（１）記載のキャップ付きサンプル瓶。
（５）  前記シート状部材はメモスペースを備えていることを特徴とする前記（２）から前記（４）のいずれかに記載のキャップ付きサンプル瓶。
（６）  前記シート状部材にはチェック欄が設けられていることを特徴とする前記（２）から前記（５）のいずれかに記載のキャップ付きサンプル瓶。
（７）  前記シート状部材の最も長い列として表示できる位置に前記中身表示を記載したことを特徴とする前記（２）から前記（６）のいずれかに記載のキャップ付きサンプル瓶。
（８）  瓶本体の側面に貼り付けられた中身説明ラベルにメモ欄を設けたことを特徴とするキャップ付きサンプル瓶。
（９）  前記（１）〜前記（７）のいずれかに記載の中身表示手段を備えることを特徴とする前記（８）記載のキャップ付きサンプル瓶。
（１０）  前記中身説明ラベルは表面が非平滑で筆記可能であり、かつ耐水性のある紙から成り、強粘糊で貼り付けられていることを特徴とする前記（８）又は前記（９）記載のキャップ付きサンプル瓶。
（１１）  前記メモ欄にはチェック欄が設けられていることを特徴とする前記（８）から前記（１０）のいずれかに記載のキャップ付きサンプル瓶。
（１２）  前記メモ欄には罫線が設けられていることを特徴とする前記（８）から前記（１１）のいずれかに記載のキャップ付きサンプル瓶。
（１３）  前記メモ欄は前記中身説明ラベルに記載されている説明記載領域の右側に配置されていることを特徴とする前記（８）から前記（１２）のいずれかに記載のキャップ付きサンプル瓶。
（１４）  キャップ付き香料サンプル瓶の上から見える部位に、瓶本体の中身の表示が記載された中身表示手段を設けて、上から瓶本体の中身を判別可能にしたことを特徴とするキャップ付き香料サンプル瓶の中身判別方法。
（１５）  キャップ付き香料サンプル瓶のキャップの上面に、中身表示が記載されたシート状部材を貼り付けて、上から瓶本体の中身を判別可能にしたことを特徴とする前記（１４）記載のキャップ付き香料サンプル瓶の中身判別方法。
（１６）  前記シート状部材はキャップの上面形状と相似形であることを特徴とする前記（１５）記載のキャップ付き香料サンプル瓶の中身判別方法。
（１７）  キャップ付き香料サンプル瓶の肩に、中身表示が記載されたシート状部材を貼り付けて、上から瓶本体の中身を判別可能にしたことを特徴とする前記（１４）記載のキャップ付き香料サンプル瓶の中身判別方法。
（１８）  前記シート状部材はメモスペースを備えていることを特徴とする前記（１５）から前記（１７）のいずれかに記載のキャップ付き香料サンプル瓶の中身判別方法。
（１９）  前記シート状部材にはチェック欄が設けられていることを特徴とする前記（１５）から前記（１８）のいずれかに記載のキャップ付き香料サンプル瓶の中身判別方法。
（２０）  前記シート状部材の最も長い列として表示できる位置に前記中身表示を記載することを特徴とする前記（１５）から前記（１９）のいずれかに記載のキャップ付き香料サンプル瓶の中身判別方法。
（２１）  キャップ付きサンプル瓶の瓶本体の側面に貼り付けられた中身説明ラベルにメモ欄を設けておき、前記メモ欄に、サンプルの中身に関して得られた情報を記録することを特徴とするキャップ付きサンプル瓶への情報記録方法。
（２２）  前記中身説明ラベルは表面が非平滑で筆記可能であり、かつ耐水性のある紙から成り、強粘糊で貼り付けられることを特徴とする前記（２１）記載のキャップ付きサンプル瓶への情報記録方法。
（２３）  前記メモ欄にはチェック欄が設けられていることを特徴とする前記（２１）又は前記（２２）記載のキャップ付きサンプル瓶への情報記録方法。
（２４）  前記メモ欄には罫線が設けられていることを特徴とする前記（２１）から前記（２３）のいずれかに記載のキャップ付きサンプル瓶への情報記録方法。
（２５）  前記メモ欄を前記中身説明ラベルに記載されている説明記載領域の右側に配置することを特徴とする前記（２１）から前記（２４）のいずれかに記載のキャップ付きサンプル瓶への情報記録方法。
（２６）  前記（１）から前記（１３）のいずれかに記載のキャップ付きサンプル瓶に香料サンプルを収容して提供することを特徴とする香料サンプルのプレゼンテーション方法。
【００１５】
前記の（１）〜（２６）は、使い勝手の良いサンプル瓶を提供することを目的とし、また、サンプルの内容を顧客が把握し易い香料サンプルのプレゼンテーション方法、キャップ付き香料サンプル瓶の中身判別方法並びにキャップ付きサンプル瓶への情報記録方法を提供することを目的とする。
【００１６】
前記（１）のキャップ付きサンプル瓶は、上から見てサンプルの中身が判るようにした中身表示手段を備えるものである。したがって、キャップ付きサンプル瓶が保管スペースの節減などのために引き出しや棚等にキャップの上面側しか見えない状態で保管されても、サンプル瓶を一々取り出さなくても陳列状態のままで中身表示手段が見えることから、サンプル瓶の中身を判別することができる。
【００１７】
ここで、中身表示手段は、キャップの上面あるいは瓶本体の肩に貼付されるサンプル名や品番、記号などのサンプルの中身が判るような中身表示が印刷などによって記載されたシート状部材、若しくはキャップそのものの上面や瓶本体の肩部分に中身表示が直接に印刷されたり、刻印加工、エンボス加工等によって刻まれることによって構成されるが、中でもシート状部材の使用が好ましい。この場合、簡易かつ安価に中身表示が実現できる。
【００１８】
また、キャップ上面が平坦でない場合や中身表示手段を備えるにはキャップが小さ過ぎる場合あるいはキャップよりも瓶本体が太い場合にはシート状部材を瓶本体の肩の部分に貼付することで、上からサンプル瓶の中身を判別可能になる。この場合には、サンプルの中身を表示する領域が十分にとれない小さなキャップのサンプル瓶でも肩部に表示されている中身表示で保管用引き出しや棚からサンプル瓶を取り出さなくてもその中身を判別することができる。
【００１９】
更に、シート状部材はキャップの上面形状と相似形であることが好ましい。この場合、キャップと瓶の直径が同じサンプル瓶において最大の表示面積ないし記録面が得られる。
【００２０】
また、シート状部材はメモスペースを備えていることが好ましい。この場合、シート状部材にも簡単な情報の記録を行うことができ、陳列した状態のまま、サンプルについての情報が得られる。
【００２１】
また、シート状部材にはチェック欄が設けられていることが好ましい。この場合、一般的に文字を書くのに比べてチェック印を付けるのは簡単でかつ早い。しかも、シート状部材への書き込みは、いつも同じ種類の情報についてのものであることが多い。このため、シート状部材にチェック欄を設けておくことで、シート状部材の利用が容易になり使い易いものとなる。チェック欄としては、例えば既にサンプル瓶内の香料の検討を行ったか否か、香料の匂いの評価、香料の匂いの強さの評価、香料の使用を検討している商品との相性や適合性などのマッチングの評価、総合評価等に関するものが考えられる。また、このチェック欄の内容については、サンプル提供者が予め定めても良いし、顧客からの要望に応じて選択させたり、顧客自体が内容を決めるようにしても良い。
【００２２】
更に、本発明のキャップ付きサンプル瓶は、シート状部材の最も長い列として表示できる位置に中身表示を記載することが好ましい。この場合、中身表示の文字数が多い場合であってもその中身表示を一行で記載することが可能になる。また、中身表示の文字数が少ない場合には、その中身表示を大きな文字で記載することが可能になる。
【００２３】
また、前記（８）のキャップ付きサンプル瓶は、瓶本体の側面に貼り付けられた中身説明ラベルにメモ欄を設けたものである。したがって、サンプルの説明を受けた際にメモ欄を利用してサンプルの特徴や単価などの情報を書き込むことができる。これにより、サンプルとサンプル情報の一元管理が可能となり、サンプル選択時の利便性が高くなる。尚、メモ欄は得られた中身の情報を記録する専用のスペース（余白）であり、十分広いスペースが確保されることが好ましい。
【００２４】
また、前記（９）のキャップ付きサンプル瓶は、上から見てサンプルの中身が判るようにした前記（１）〜（７）のいずれかに記載の中身表示手段を備えると共に、瓶本体の側面に貼り付けられた中身説明ラベルにメモ欄を設けたものである。したがって、キャップ付きサンプル瓶がキャップ上面側しか見えない状態で保管用の引き出しや棚等に保管されてもサンプル瓶を取り出さなくても中身表示手段の一覧によって、サンプル瓶の中身を判別することができ、更にサンプル瓶を手にとり側面の中身説明ラベルを読むことによってより詳しいサンプルの情報を知ることができる。また、サンプル保管用棚などに、サンプル瓶の側面が見られるように陳列した場合にも、陳列状態のままで中身説明ラベルとメモの記載が視認できることから、迅速にサンプルを判別し尚かつ評価できる。
【００２５】
ここで、中身説明ラベルは表面が筆記可能な程度に非平滑であり、かつ耐水性のある紙から成り、強粘糊で貼り付けられていることが好ましい。例えば、表面がざらついているプラスチックでコーティングされている紙の使用が好ましい。この場合、中身説明ラベルに設けられたメモ欄への書き込みが容易になる。また、固形内容物を溶解する目的で瓶本体を湯煎にかけるような場合に、中身説明ラベルの剥がれや、記録内容のにじみ、中身説明ラベルが劣化してぼろぼろになるのを防ぐことができる。
【００２６】
また、中身説明ラベルのメモ欄にはチェック欄が設けられていることが好ましい。チェック欄に印を付けるのは簡単であり、しかも定型化された情報のようなものや同じ種類の情報が書き込まれる場合には十分である。このため、メモ欄にチェック欄を設けておくことで、メモ欄の利用が容易になり使い易くなる。チェック欄としては、例えば香料サンプルの場合、既にサンプル瓶内の香料を検討したか否か、香料の匂いの評価、香料の匂いの強さの評価、香料の使用を検討している商品とのマッチングの評価、総合評価等に関するものが考えられる。しかし、このチェック欄の内容については、特に上述のものに限定されるものではなく、サンプル提供者が予め定めても良いし、顧客からの要望に応じて選択させたり、顧客自体が内容を決めるようにしても良い。
【００２７】
更に、メモ欄には罫線が設けられていることが好ましい。この場合、罫線が書き込みの目安となり、真っ直ぐな文字列で情報の記録を行うことができる。
【００２８】
また、メモ欄は中身説明ラベルに記載されている説明記載領域の右側に配置されていることが好ましい。この場合、右手に筆記用具を持って情報の記録を行うときに、中身説明ラベルの説明記載領域を見ながら情報の記録を行うことができる。
【００２９】
さらに、前記（１４）記載のキャップ付き香料サンプル瓶の中身判別方法は、キャップ付き香料サンプル瓶の上から見える部位に、瓶本体の中身の表示が記載された中身表示手段を設けて、上から瓶本体の中身を判別可能にしたものである。したがって、サンプル保管用の引出しや棚等に、キャップ付き香料サンプル瓶をそのキャップ側が手前側となって一覧できるように密に陳列させて保管させることができ、尚かつサンプル瓶を取り出さなくても中身表示手段が見えることになり、サンプル瓶の中身を判別することができる。この様な中身表示手段は、前述のようにきわめて多種多様でしかも多量のサンプルを取り扱い、且つ色などのように規格化できないという性質を持つ香料サンプルにおいて、格別の有用性をもたらすものである。
【００３０】
また、前記（１５）記載のキャップ付き香料サンプル瓶の中身判別方法は、キャップ付き香料サンプル瓶のキャップの上面に、中身表示が記載されたシート状部材を貼り付けて、キャップを手前にして、例えば上から瓶本体の中身を判別可能にしたものである。したがって、キャップに瓶本体の中身表示が付されることになり、引出しやサンプル棚にキャップ側が見えるように陳列した状態でも、キャップ側から見ただけで中身の判別が可能である。しかも、キャップ上面に設けられた中身表示手段などによって、キャップと瓶本体との関連性は明白となり、キャップが間違えられることによる香りの汚染を未然に防ぎ、サンプル品の品質を維持できる。
【００３１】
この中身判別方法において、シート状部材はキャップの上面形状と相似形であることが好ましい。この場合、キャップの上面全体にシート状部材を貼り付けることが可能になるので、中身を判別するための情報をより多く表示することができ、中身判別に便宜である。
【００３２】
また、前記（１７）のキャップ付き香料サンプル瓶の中身判別方法は、キャップ付き香料サンプル瓶の肩に、中身表示が記載されたシート状部材を貼り付けて、上から瓶本体の中身を判別可能にしたものである。キャップの上面が平坦でない場合や中身表示手段を備えるにはキャップが小さ過ぎる場合あるいはキャップよりも瓶本体が太い場合に、シート状部材を瓶本体の肩の部分に貼付することで、上からサンプル瓶の中身を判別可能になる。したがって、サンプル瓶が収納されている保管用の引き出しや棚から、サンプル瓶を取り出さなくてもその中身を判別することができる。
【００３３】
また、前記（１８）記載のキャップ付き香料サンプル瓶の中身判別方法は、シート状部材がメモスペースを備えるようにしている。この場合、シート状部材に書き込まれた簡単な記録情報によって、更に詳細にサンプルの情報を得てサンプル選択作業を能率的なものとできる。
【００３４】
また、前記（１９）記載のキャップ付き香料サンプル瓶の中身判別方法は、シート状部材にチェック欄を設けるようにしている。一般的に文字を書くのに比べてチェック印を付けるのは簡単でかつ早い。しかも、シート状部材への書き込みは、いつも同じ種類の情報についてのものであることが多い。このため、シート状部材にチェック欄を設けておくことで、シート状部材の利用が容易になり使い易いものとなる。チェック欄としては、例えば既にサンプル瓶内の香料を検討したか否か、香料の匂いの評価、香料の匂いの強さの評価、香料の使用を検討している商品とのマッチングの評価、総合評価等に関するものが考えられる。
【００３５】
また、前記（２０）記載のキャップ付き香料サンプル瓶の中身判別方法は、シート状部材の最も長い列として表示できる位置に中身表示を記載している。したがって、中身表示の文字数が多い場合であってもその中身表示を一行で記載することが可能になり、より多くの情報が一読で認識可能となる。また、中身表示の文字数が少ない場合には、その中身表示を大きな文字で記載して視認し易くできる。
【００３６】
さらに、前記（２１）記載のキャップ付きサンプル瓶への情報記録方法は、キャップ付きサンプル瓶の瓶本体の側面に貼り付けられた中身説明ラベルにメモ欄を設けておき、メモ欄にサンプルの中身に関して得られた情報を記録するものである。したがって、サンプルの中身に関する情報がメモ欄に書き込まれ、サンプルと共に保管されかつ利用されるため、サンプルとサンプル情報の一元管理が可能となる。
【００３７】
また、前記（２２）記載のキャップ付きサンプル瓶への情報記録方法は、中身説明ラベルは筆記可能な程度に表面が非平滑であり、かつ耐水性のある紙から成り、強粘糊で貼り付けるものである。したがって、中身説明ラベルのメモ欄への情報の書き込みが容易になる。また、瓶本体をお湯等に漬けた場合の中身説明ラベルの剥がれや、記録内容のにじみ、中身説明ラベルの劣化を防止する。
【００３８】
また、このキャップ付きサンプル瓶への情報記録方法においては、メモ欄にはチェック欄が設けられていることが好ましい。一般的に文字を書くのに比べてチェック欄に印を付けるのは簡単であり、また、メモ欄にはいつも同じ種類の情報が書き込まれることが多い。このため、メモ欄にチェック欄を設けておくことで、メモ欄の利用が容易になり使い易くなる。チェック欄としては、例えば既にサンプル瓶内の香料を検討したか否か、香料の匂いの評価、香料の匂いの強さの評価、香料の使用を検討している商品とのマッチングの評価、総合評価等に関するものが考えられるが、これらに特に限られるものではなく、サンプル提供者が予め定義しても良いし、顧客からの要望に応じて選択させたり、顧客自体が内容を決めるようにしても良い。
【００３９】
また、前記（２４）記載のキャップ付きサンプル瓶への情報記録方法は、メモ欄には罫線が設けられている。したがって、書き込みの目安となり、真っ直ぐな文字列で情報の記録を行うことができる。
【００４０】
また、前記（２５）記載のキャップ付きサンプル瓶への情報記録方法は、メモ欄を中身説明ラベルに記載されている説明記載領域の右側に配置するものである。したがって、右手に筆記用具を持って情報の記録を行う場合に、中身説明ラベルの説明記載領域を見ながら情報の記録を行うことができる。
【００４１】
さらに、前記（２６）記載の香料サンプルのプレゼンテーション方法は、前記（１）から（１３）のいずれかに記載のキャップ付きサンプル瓶に香料サンプルを収容して顧客に提供するものである。顧客への香料サンプルの提供は説明員による手渡しで行われ、その際、中身の香料に関する説明を口頭で行うことが一般的であるが、時には研究担当員が資料やスライド、プロジェクターなどを用いて視覚的に説明したり、更には、飲食品や化粧品の試作品を用いて五感に訴えるプレゼンテーションによることもある。その際に、香料サンプルの説明を受けながら顧客はサンプル瓶のキャップを外して中身の香料を試しに嗅いで香りの確認ができるようにしている。したがって、顧客は香料サンプルのプレゼンテーション時に、説明員の説明や香料を試し嗅ぎした時の印象等をサンプル瓶に直接書き込むことができ、このことにより提供した香料サンプルがより顧客の印象に残りやすくなる。また、香料サンプルは一度に複数種類のものを顧客に提供することも多く、その場合には複数のサンプル瓶のキャップを外して香料の嗅ぎ比べを行うこともある。この場合にも、キャップが有する中身表示手段と、瓶本体の中身説明ラベルとから、どのキャップがどの瓶本体のものであるかを容易に判別することができ、キャップの間違いに起因する香りの汚染によってサンプルの香りが変質してしまうことを防ぎ、より確実に香料サンプルを顧客に提案できる。
【発明の効果】
【００４２】
請求項１記載のサンプルの保管方法によると、サンプル瓶を保管用引出しあるいは棚に密に並べて保管することができ、尚かつそのような保管状況にありながらもサンプル瓶を取り出さなくてもサンプル瓶の中身を判別することができる。
【００４３】
更に、請求項２記載の発明によると、サンプル瓶にサンプルに関する情報を直接書き込んだ状態でサンプルを保管しておくので、保管状態のまま一覧することによってサンプル瓶の中身を判別し、更に任意のサンプル瓶を取り出し手にとることによって詳細な情報を知ることができ、サンプル選択が迅速にできる。依って、香料サンプルの保管についてサービスを向上させることができ、香料サンプルの提供を受けた顧客の保管の便宜を図ることができる。
【００４４】
なお、前記（１）記載のキャップ付きサンプル瓶では、上から見てサンプルの中身が判るようにした中身表示手段を備えているので、キャップ付きサンプル瓶を引出しや棚にキャップの上面あるいは瓶の肩部分が見えるように並べて陳列して保管しても、一々サンプル瓶を取り出さなくてもサンプル瓶の中身を判別することができる。このため、多数のサンプル瓶の中から、目的のサンプルが入っているサンプル瓶を迅速に見つけだすことができる。この結果、サンプル瓶の使い勝手を向上させることができる。また、瓶本体からキャップを外した場合にも、どのサンプル瓶のキャップであるかの判別を容易にすることができる。
【００４５】
また、前記（２）記載のキャップ付きサンプル瓶では、中身表示手段として、キャップの上面に貼付され且つ中身表示が記載されたシート状部材を採用するので、印刷や手書き等によって中身表示を自由に変更してキャップに付し得ることから、中身表示が簡易かつ安価に実現できる。
【００４６】
また、前記（３）記載のキャップ付きサンプル瓶では、シート状部材がキャップの上面形状と相似形であるので、キャップの上面全体を有効に利用してシート状部材を貼り付けることが可能になり、シート状部材を大きなものにすることができる。この場合、キャップと瓶本体の直径が同じサンプル瓶において最大の表示面積ないし記録面が得られる。
【００４７】
また、前記（４）記載のキャップ付きサンプル瓶では、中身表示手段が、瓶本体の肩に貼付され且つ中身表示が記載されたシート状部材であるので、キャップよりも瓶本体が太い場合にシート状部材を瓶本体の肩の部分に貼付することで、上からサンプル瓶の中身を判別可能になる。
【００４８】
また、前記（５）記載のキャップ付きサンプル瓶では、シート状部材がメモスペースを備えているので、シート状部材を利用して簡単なメモ書きを行うことができる。このため、陳列されているサンプル瓶を一覧した際にメモ書きを確認することで、より適切なサンプルを直ちに選択することができる。
【００４９】
また、前記（６）記載のキャップ付きサンプル瓶では、シート状部材にはチェック欄が設けられているので、より簡易にかつより多くの情報の書き込み・表示ができる。したがって、サンプル瓶をより使い易いものにできる。
【００５０】
また、前記（７）記載のキャップ付きサンプル瓶では、最も長い列として表示できる位置に中身表示を記載しているので、中身表示の文字数が多い場合にもその中身表示を一行で記載することができる。したがって、表示を一読できる。また、中身表示の文字数が少ない場合には、その中身表示を大きな文字で記載することができ、読み易くなる。
【００５１】
また、前記（８）記載のキャップ付きサンプル瓶では、瓶本体の側面に貼り付けられた中身説明ラベルにメモ欄を設けているので、メモ欄を利用して情報記録を行うことができる。このため、サンプル瓶を持って中身の例えば香料サンプルを試し嗅ぎしながら情報記録したり、香料サンプルについての説明を受けながら情報記録するのに便利である。さらに、メモ欄へのサンプルの情報の書き込みにより、サンプルとその情報の一元管理即ち一箇所に集中させることができるので、サンプル選択の際の判断データを迅速に確認することができると共に、見落としを防止することができる。これらの結果、サンプル瓶の使い勝手を向上させることができる。
【００５２】
また、前記（９）記載のキャップ付きサンプル瓶では、上から見てサンプルの中身が判るようにした中身表示手段を備えると共に、瓶本体の側面に貼り付けられた中身説明ラベルにメモ欄を設けているので、キャップ付きサンプル瓶がキャップ上面側しか見えない状態で引き出し等に保管されても、サンプル瓶を取り出さなくても中身表示手段の一覧によって、サンプル瓶の中身を判別することができ、更にサンプル瓶を手にとることによってより詳しいサンプルの情報を知ることができる。また、サンプル置き棚などに、サンプル瓶の側面が見られるように陳列した場合にも、陳列状態のままで中身説明ラベルとメモの記載が視認できることから、サンプルを判別し尚かつ評価できる。これらの結果、サンプル瓶の使い勝手をより一層向上させることができる。
【００５３】
また、前記（１０）記載のキャップ付きサンプル瓶では、中身説明ラベルは表面が筆記可能な程度にざらついた非平滑であり、かつ耐水性のある紙から成り、強粘糊で貼り付けられているので、中身説明ラベルに設けられたメモ欄に書き込みし易くすることができる。また、湯煎しても記録内容がにじんだり、中身説明ラベルの剥がれや中身説明ラベルがぼろぼろになることが少ない。
【００５４】
また、前記（１１）記載のキャップ付きサンプル瓶では、メモ欄にはチェック欄が設けられているので、より簡易に情報の書き込み・表示ができ、メモ欄を更に使い易いものにすることができる。
【００５５】
また、前記（１２）記載のキャップ付きサンプル瓶では、メモ欄には罫線が設けられているので、メモ書きの目安となり、真っ直ぐな文字列でメモ書きすることができ、メモ書きし易くなると共に、メモ書きを読み易くすることができる。
【００５６】
また、前記（１３）記載のキャップ付きサンプル瓶では、メモ欄が中身説明ラベルに記載されている説明記載領域の右側に配置されているので、右手に筆記用具を持ってメモ書きを行う場合に中身説明ラベルの説明記載領域を見ながらメモ書きを行うことができる。
【００５７】
さらに、前記（１４）記載のキャップ付き香料サンプル瓶の中身判別方法では、キャップ付き香料サンプル瓶の上から見える部位に、瓶本体の中身の表示が記載された中身表示手段を設けて、上から瓶本体の中身を判別可能にしているので、キャップ付き香料サンプル瓶が収納されている引き出しや棚からキャップ付き香料サンプル瓶を取り出さなくてもキャップ付き香料サンプル瓶の中身を判別することができる。このため、密に陳列されている多数のキャップ付き香料サンプル瓶の中から、目的のサンプルが入っているキャップ付き香料サンプル瓶を迅速に見つけだすことができる。この結果、キャップ付き香料サンプル瓶の使い勝手を向上させることができる。
【００５８】
また、前記（１５）記載のキャップ付き香料サンプル瓶の中身判別方法では、キャップ付き香料サンプル瓶のキャップの上面に、中身表示が記載されたシート状部材を貼り付けて、上から瓶本体の中身を判別可能にしているので、サンプルを取り扱う場合により手前側に見えるキャップの上面の中身表示は明瞭に視認でき、一覧しただけで中身を判別することができる。また、瓶本体からキャップを外した場合にもどの瓶のキャップであるかの判別を容易に行うことができる。
【００５９】
また、前記（１６）記載のキャップ付き香料サンプル瓶の中身判別方法では、シート状部材がキャップの上面形状と相似形であるので、キャップの上面全体を有効に利用してシート状部材を貼り付けることが可能になり、シート状部材を大きなものにして表示面積及び書き込み面積を最大限にとることができる。
【００６０】
また、前記（１７）記載のキャップ付き香料サンプル瓶の中身判別方法では、キャップ付き香料サンプル瓶の肩に、中身表示が記載されたシート状部材を貼り付けて、上から瓶本体の中身を判別可能にしているので、キャップが瓶よりも小さくシート状部材を貼付するスペースがない場合にも、上から見てキャップ付き香料サンプル瓶の中身を判別可能になる。このため、キャップ付き香料サンプル瓶が保管されている引き出しや棚からキャップ付き香料サンプル瓶を取り出さなくてもその中身を判別することができる。
【００６１】
また、前記（１８）記載のキャップ付き香料サンプル瓶の中身判別方法では、シート状部材はメモスペースを備えているので、シート状部材を利用して簡単なメモ書きを行うことができる。このため、引出しや棚に並べてキャップ付き香料サンプル瓶が保管されている状態でメモ書きを確認することができるので、引き出しや棚の中からキャップ付き香料サンプルを取り出さずにメモ書きを参考にしてキャップ付き香料サンプルを選択することができる。
【００６２】
また、前記（１９）記載のキャップ付き香料サンプル瓶の中身判別方法では、シート状部材にはチェック欄が設けられているので、より簡易にかつより多くの情報の書き込み・表示ができるので、香料サンプルの選択をより容易なものにすることができる。
【００６３】
また、前記（２０）記載のキャップ付き香料サンプル瓶の中身判別方法では、最も長い列として表示できる位置に中身表示を記載し、中身表示の文字数が多い場合にもその中身表示を一行で記載することができるようにしているので、表示情報を一読でき、迅速な中身判別に寄与できる。また、中身表示の文字数が少ない場合には、その中身表示を大きな文字で記載することができるので、読み取り易く、迅速な中身判別に寄与できる。
【００６４】
さらに、前記（２１）記載のキャップ付きサンプル瓶への情報記録方法では、キャップ付きサンプル瓶の瓶本体の側面に貼り付けられた中身説明ラベルにメモ欄を設けておき、メモ欄にサンプルの中身に関して得られた情報を記録するので、サンプル瓶を持って中身の例えば香料サンプルを試し嗅ぎしながらメモ書きしたり、香料サンプルについての説明を受けながらメモ書きするのに便利である。また、サンプルに関する情報をメモ欄に集中させ、サンプルと情報の一元管理ができるので、サンプル選択時の情報確認を迅速に行うことができると共に、見落としを防止することができる。これらの結果、サンプル瓶の使い勝手を向上させることができる。
【００６５】
また、前記（２２）記載のキャップ付きサンプル瓶への情報記録方法では、中身説明ラベルは表面が筆記可能な程度にざらつく非平滑であり、かつ耐水性のある紙から成り、強粘糊で貼り付けるようにしているので、メモ欄への書き込みがし易い。また、湯煎しても記録情報がにじみ難く、中身説明ラベルの剥がれや中身説明ラベルがぼろぼろになることも少ない。
【００６６】
また、前記（２３）記載のキャップ付きサンプル瓶への情報記録方法では、メモ欄にはチェック欄が設けられているので、より簡易にかつより多くの情報の書き込み・表示ができるので、サンプルの選定を容易にし、サンプル瓶を使い易いものにすることができる。
【００６７】
また、前記（２４）記載のキャップ付きサンプル瓶への情報記録方法では、メモ欄には罫線が設けられているので、真っ直ぐな文字列でメモ書きすることができ、メモ書きをし易くすることができると共に、メモ書きを読み易くすることができる。
【００６８】
また、前記（２５）記載のキャップ付きサンプル瓶への情報記録方法では、メモ欄を中身説明ラベルに記載されている説明記載領域の右側に配置するようにしているので、右手に筆記用具を持ってメモ欄に記録を行う場合に中身説明ラベルの説明記載領域を見ながら情報の記録を行うことができる。
【００６９】
さらに、前記（２６）記載の香料サンプルのプレゼンテーション方法では、前記（１）から（１３）のいずれかに記載のキャップ付きサンプル瓶に香料サンプルを収容して提供するので、プレゼンテーション時に香料に関する情報をサンプル瓶に直接書き込むことができ、また、一度に多数の香料サンプルの嗅ぎ比べを行った場合等のキャップの付け間違いに起因する香りの汚染を防止することが出来る。これらのため、香料サンプルの提供についてサービスを向上させることができ、香料サンプルの提供を受ける顧客の便宜を図ることができる。
【００７０】
即ち、香料の研究担当員等がプレゼンテーションを行う際、研究担当員等が行うサンプル香料に関する説明、その説明を受けながらサンプル瓶の中身の香料を試し嗅いだ印象等を印象が薄れないうちにサンプル瓶に直接書き込ませることができるので、提供した香料が顧客の記憶に残りやすくなる。また、プレゼンテーション時に、一度に複数種類の香料サンプルを顧客が嗅ぎ比べる際にも、どのキャップがどの瓶本体のものであるかを容易に判別することができるので、香料の変質を招かず、最初から最後まで意図した通りの香りのサンプルを顧客に提示できる。
【発明を実施するための最良の形態】
【００７１】
以下、本発明の構成を図面に示す最良の形態に基づいて詳細に説明する。
【００７２】
図１にキャップ付きサンプル瓶の第１の実施形態を示す。このキャップ付きサンプル瓶（以下、単にサンプル瓶という）１は、平坦な面から成るキャップ２の上面２ａに中身表示手段４を備えることによって、上から見てサンプルの中身が判るようにしている。尚、通常、瓶本体３の側面には、サンプルの名称やその説明、サンプル提供会社の社名やハウスマーク並びにその他の情報例えば法律で義務付けられている注意書きなどが記載された中身説明ラベル７が貼り付けられている。
【００７３】
中身表示手段４は、本実施形態の場合、キャップ２の上面２ａに貼付可能な紙ないし合成紙製のラベルのようなシート状部材（以下、シート状部材４という）が採用され、印刷ないし筆記具を用いた手書き等によって中身表示５が記載されている。図２にシート状部材４の一例を示す。シート状部材４はその裏面に接着剤が予め塗布されており、裏面に貼り付けられた裏紙を剥がすだけでキャップ２の上面２ａに貼り付けることができるシールとなっている。このため、キャップ２の上面２ａにシート状部材４を簡単に貼付することができる。
【００７４】
シート状部材４はキャップ２の上面形状と相似形に成形されている。本実施形態では、キャップ２の上面形状が円形であることから、シート状部材４も円形とされている。シート状部材４の形状をキャップ２の上面形状と相似形にすることで、キャップ２の上面２ａ全体を有効に利用してシート状部材４を貼り付けることができ、シート状部材４を最も大きな面積とすることができる。
【００７５】
また、中身表示５は、シート状部材４の最も長い列として表示できる位置４ａに記載されている。本実施形態では、シート状部材４が円形であり、シート状部材４の中心を通る直径位置が最も長い列として中身表示５を記載できる位置４ａとなり、この位置４ａに中身表示５が記載されている。シート状部材４の最も長い列として表示できる位置４ａに中身表示５を記載することで、中身表示５の文字数が多い場合にもその中身表示５を一行で記載することができる。また、中身表示５の文字数が少ない場合には、その中身表示５を大きな文字で記載することができる。
【００７６】
さらに、シート状部材４にはメモ書き可能とする余白（メモスペースと呼ぶ）６を備けている。シート状部材４にメモスペース６を設けることで、シート状部材４に簡単なメモ書きを行うことができる。このため、メモ用紙を別に準備する必要がなく、便利である。また、サンプル瓶１が収納されている引き出しを開けた状態でメモ書きを確認することができるので、引き出しの中からサンプルを選択する場合にメモ書きを参考にすることができる。
【００７７】
このように構成されたサンプル瓶１は、例えば香料や食品添加物等のサンプルを入れて顧客に配付する場合、キャップ２の上面２ａのシート状部材４あるいは瓶本体３の肩部分のシート状部材４からサンプル瓶１の中身を一見しただけで判別することができる。したがって、サンプル瓶１を受け取った顧客は、多数のサンプル瓶１を保管用の引き出しの中や棚に並べて保管して、香料サンプルを使う場合には保管用引き出しの中や棚から目的の香料サンプルが入っているサンプル瓶１を探し出して取り出すことができる。キャップ２の上面２ａには中身表示５が記載されたシート状部材４が貼付されているので、サンプル瓶１が引き出しに収納されている場合にも、引き出しを開けると、サンプル瓶１を取り出さなくてもサンプル瓶１の中身を判別することができる。このため、多数のサンプル瓶１の中から、目的のサンプルが入っているサンプル瓶１を迅速に見つけ出すことができ、サンプル瓶１の使い勝手を向上させることができる。
【００７８】
また、香料の嗅ぎ比べを行う場合など、複数のサンプル瓶１を机の上等に並べ、それらの全てのキャップ２を外すことがある。このような場合であっても、キャップ２には中身表示５が記載されたシート状部材４が貼付されているので、瓶本体３の側面３ａに貼り付けられている中身説明ラベル７に記載されているサンプル名と照合してどのキャップ２がどのサンプル瓶１のものであるかの判別を容易に行うことができる。
【００７９】
次に、サンプル瓶１の第２の実施形態を説明する。このサンプル瓶１を図３に示す。サンプル瓶１は、瓶本体３の側面３ａに貼り付けられた中身説明ラベル７にメモ欄８を設けたものである。このメモ欄８はサンプルの中身に関して得られた情報を記録するものである。
【００８０】
中身説明ラベル７は耐水性のある紙から成っている。例えば、中身説明ラベル７用の紙として合成紙を使用するか、或いは普通紙の表面をプラスチックコートしたものが好ましく用いられる。この様な紙としては、例えば株式会社サトーから３Ｓコート紙等の名称で市販されている。これら合成紙等から成る中身説明ラベル７の表面は非平滑で筆記可能な程度にざらついており、かつ耐水性を呈する。さらに、中身説明ラベル７は耐冷蔵・冷凍性の高い強粘糊（冷凍糊ともいう）によって瓶本体３の側面３ａに貼り付けられている。したがって、中身説明ラベル７にはボールペンや鉛筆などを使用して軽い力で必要な情報を書き込むことができる。また、中身説明ラベル７を耐水性にし、強粘糊を使用して瓶本体３に貼付しているので、固形内容物を溶解する目的で瓶本体３をお湯等に漬けて湯煎しても中身説明ラベル７が剥がれることがなく、また、記録内容のにじみや中身説明ラベル７が水分を含んでぼろぼろになることもないし、サンプル瓶１を冷蔵庫や冷凍庫にいれても中身説明ラベル７が剥がれてしまうことがなく、冷蔵保存、冷凍保存が必要な香料サンプルや食品添加物サンプル等を入れるのに適したものとなる。
【００８１】
また、図４に示すように、メモ欄８は中身説明ラベル７に記載されている説明記載領域９の右側に配置されていることが好ましい。メモ欄８を説明記載領域９の右側に配置することで、右手に筆記具を持ってメモ書きを行う場合に、中身説明ラベル７の説明記載領域９を見ながらメモ書きを行うことができる。勿論、メモ欄８は、説明記載領域９の向かって右側に配置する場合だけに限らず、場合によっては左側、上側若しくは下側のいずれか１つあるいは２つ以上に設けるようにしても良い。
【００８２】
このように構成されたサンプル瓶１によれば、香料サンプルの配付を受けた顧客はサンプル瓶の中身に関する情報を中身説明ラベル７のメモ欄８に直接書き込むことができる。即ち、営業担当者等によるサンプル説明を聞いた顧客は、サンプルの中身を自分自身の臭覚や視覚等で確認し、その情報や印象等をメモ欄８に記録することができる。しかも、メモ欄８に記録されたサンプルの中身に関する情報とサンプルとが一緒に保管されるので、サンプルを使用したり、サンプルを選択する際にメモ欄８の内容からサンプルの中身に関する情報を迅速に確認することができると共に、見落としを防止することができる。これらの結果、サンプル瓶１の使い勝手を向上させることができる。
【００８３】
次に、サンプル瓶１の第３の実施形態を説明する。この実施形態にかかるサンプル瓶１を図５に示す。サンプル瓶１は、上から見て中身のサンプルが判るようにしたシート状部材４と、メモ欄８を有する中身説明ラベル７との双方を備えたものであり、シート状部材４によりサンプル瓶の中身を上（キャップ側）から見るだけで判別でき、更にサンプル瓶の中身に関する情報をメモ欄８の記録から入手できるものである。即ち、シート状部材４を有する図１に示すサンプル瓶１と、中身説明ラベル７にメモ欄８を備える図３に示すサンプル瓶１の効果をそれぞれ奏するのは勿論のこと、キャップが間違えられて香りの汚染が起きるようなこともなく、サンプル瓶１の使い勝手をより一層向上させることができる。
【００８４】
次に、香料サンプルのプレゼンテーション方法について説明する。この提供方法は、上記のいずれかのサンプル瓶１に香料サンプルを収容して顧客に提供するものである。
【００８５】
顧客への香料サンプルの提供は説明員による手渡しの際、顧客に中身の香料の説明を口頭で行うことが一般的であるが、時には研究担当員が資料やスライド、プロジェクターなどを用いて視覚的に説明したり、更には飲食品や化粧品の試作品を用いて五感に訴えるプレゼンテーションによることもある。その際、研究担当員は顧客に中身の香料に関する説明を行う。また、その説明を受けながら顧客はサンプル瓶のキャップを外して中身の香料を試し嗅ぎする。したがって、例えば図３又は図５に示す、中身説明ラベル７にメモ欄８を設けたサンプル瓶１を使用して香料サンプルを提供することで、その提供時に説明員から受けた説明や香料を試し嗅ぎした時の印象等、香料に関する情報をサンプル瓶１に直接書き込むことができ、香料サンプルについての印象等が顧客の記憶に残りやすくなる。
【００８６】
また、香料サンプルは一度に複数種類のものを顧客に提供することも多く、その場合には複数のサンプル瓶１のキャップ２を外して香料の嗅ぎ比べを行うこともある。したがって、例えば図１又は図５に示す、シート状部材４をキャップ２の上面に貼付しているサンプル瓶１を使用して香料サンプルを提供することで、香料の嗅ぎ比べを行うために多数のサンプル瓶１のキャップ２を外しても、どのキャップ２がどの瓶本体３のものであるかを容易に判別することができ、キャップ２の取り違えを防止することができる。このため、サンプルの香りの変質を防いで、意図している通りの香料を顧客に提示できる。
【００８７】
次に、本発明を適用したサンプルの保管方法について説明する。この保管方法は、上記のいずれかのサンプル瓶１にサンプルを収容して保管するものである。
【００８８】
サンプルは、図１又は図５に示すような、少なくともキャップ２の上面２ａあるいはサンプル瓶１の肩部分（瓶がキャップより大径の場合）にシート状部材４が貼付されているサンプル瓶１に収容され、保管用引出しの中に立てて密に並べて保管される。この場合、最小限の容積で多数のサンプル瓶１を保管でき、尚かつサンプル瓶１が収納されている引き出しを開けると、サンプル瓶１を取り出さなくても全てのサンプル瓶１のシート状部材４が一覧でき、サンプル瓶１の中身を判別することができる。また、図示していないがサンプル棚にサンプル瓶１を横にして密に並べて棚の手前側にキャップ上面２ａあるいはサンプル瓶１の肩部分のシート状部材４が一覧できるように保管することもできる。
【００８９】
また、例えば図３又は図５に示す、中身説明ラベル７にメモ欄８を設けたサンプル瓶１を使用してサンプルを保管することで、説明員の説明やサンプルの試し嗅ぎを行った時の印象等、そのサンプルに関する情報をサンプル瓶１に直接書き込んだ状態でサンプルを保管しておくことができる。この場合には、保管状態のサンプル瓶１の中から、中身表示手段たるシート状部材４の中身表示５を手掛かりに任意のサンプル瓶１を取り出し、更にそのサンプル瓶１のメモ欄８の記録からサンプルの中身に関する情報を得て使用サンプルの選択を行える。
【００９０】
なお、上述の形態は本発明の好適な形態の一例ではあるがこれに限定されるものではなく本発明の要旨を逸脱しない範囲において種々変形実施可能である。例えば、上述の説明では、シート状部材４はキャップ２の上面２ａに貼付可能なシート状部材であったが、必ずしもこれに限るものではなく、例えば図６に示すように、キャップ２の上面２ａが平坦でない場合や中身表示手段４を備えるにはキャップ２が小さ過ぎる場合等には、サンプル瓶１の肩３ｂに、中身表示５が記載された中身表示手段４としてのシート状部材４を貼り付けて、上から瓶本体３の中身を判別可能にするようにしても良い。このようにした場合も、図１のサンプル瓶１と同様に、上からサンプル瓶１の中身を判別することができ、サンプル瓶１が収納されている引き出しや棚から、サンプル瓶１を取り出さなくてもその中身を判別することができる。このため、多数のサンプル瓶１の中から、目的のサンプルが入っているサンプル瓶１を迅速に見つけ出すことができ、サンプル瓶１の使い勝手を向上させることができる。また、中身表示手段４は、貼付可能なシート状部材を用いずに、キャップ上面２ａや瓶本体３の肩３ｂ部分に印刷や刻印、エンボス加工等によって直接に中身表示５を設けることも可能である。また、紙製シート状部材の代わりにプラスチックプレートにエンボス加工で情報を記録したものを使用することも可能である。
【００９１】
また、例えば図７に示すように、シート状部材４にチェック欄１０を設けても良い。文字を書くのに比べてチェック印を付けるのは一般的に簡単である。また、シート状部材４への書き込みは、いつも同じ種類の情報についてのものであることが多い。このため、シート状部材４にチェック欄１０を設けておくことで、シート状部材４の利用の用途が広がると共に、シート状部材４の利用が容易になり、シート状部材４をより使い易いものにすることができる。なお、チェック欄１０としては、例えば既に香料を検討したか否か、匂いの評価、匂いの強さの評価、香料の使用を検討している商品とのマッチングの評価、総合評価等に関するものが考えられる。
【００９２】
また、例えば図８に示すように、中身説明ラベル７のメモ欄８にチェック欄１１を設けても良い。一般的に文字を書くのに比べてチェック欄１１に印を付けるのは簡単であり、また、メモ欄８にはいつも同じ種類の情報が書き込まれることが多い。このため、メモ欄８にチェック欄１１を設けておくことで、メモ欄８の利用の用途が広がると共に、メモ欄８の利用が容易になり、メモ欄８をより使い易いものにすることができる。なお、チェック欄１１としては、例えば既にサンプル瓶１内の香料を検討したか否か、香料の匂いの評価、香料の匂いの強さの評価、香料の使用を検討している商品とのマッチングの評価、総合評価等に関するものが考えられる。
【００９３】
また、例えば図８に示すように、中身説明ラベル７のメモ欄８に罫線１２を設けても良い。メモ欄８に罫線１２を設けることで、一定間隔で真っ直ぐな文字列でメモ書きを行うことができる。このため、メモ書きし易くなり、また、書いたメモ書きが読み易くなる。なお、図８に示すように、中身説明ラベル７のメモ欄８にチェック欄１１と罫線１２の両方を設けても良いが、チェック欄１１と罫線１２のいずれか一方のみを設けるようにしても良い。また、シート状部材４に罫線を設けるようにしても良い。
【００９４】
また、中身説明ラベル７をサンプル瓶１に貼付する前の状態で、説明記載領域９とメモ欄８との境界において、中身説明ラベル７自体あるいはその裏面に予め塗布されている接着剤に貼り付けられた裏紙に切り込みを入れておいても良い。中身説明ラベル７自体に切り込みを入れた場合には、一枚の裏紙から説明記載領域９とメモ欄８を別々に剥がしてサンプル瓶１に貼ることができる（メモ欄８への記入は机上などの平面上で行い、記入後にメモ欄８をサンプル瓶１に貼付する。平面上でメモ欄８に記入できるので、記入しやすい。）。なお、この場合には、説明記載領域９とメモ欄８を切り離すことになるので、切り離したメモ欄８がどの説明記載領域９とペアになるのかが不明になるのを防止するため、メモ欄８にも、例えば下側に小さく中身表示５を表示しておいたり、何らかの印等を付けておくことが好ましい。また、中身説明ラベル７の裏紙に切り込みを入れた場合には、説明記載領域９側の裏紙を剥がして説明記載領域９のみをしっかりとサンプル瓶１に貼り付け、メモ欄８は裏紙をつけたまま宙ぶらりんにしておく（顧客がメモ欄８へのメモ書きを終了した後、このメモ欄８側の裏紙を剥がしてサンプル瓶１に貼り付ける。このようにして中身説明ラベル７全体を完全に貼りつけることで、説明が終了したマークとする。この場合、記憶に残りやすい）といったこともできる。
【００９５】
また、中身説明ラベル７の周囲に数字を記載し、この数字部分に切り込みを入れることにより、何らかの目印にすることができる。例えば、品質保証期限に相当する数字部分に切り込みを入れることにより、品質保証期限のマークとして用いることもできる。
【図面の簡単な説明】
【００９６】
【図１】キャップ付きサンプル瓶の第１の実施形態を示す斜視図である。
【図２】図１のキャップ付きサンプル瓶のシート状部材を示す平面図である。
【図３】キャップ付きサンプル瓶の第２の実施形態を示す斜視図である。
【図４】図３のキャップ付きサンプル瓶の中身説明ラベルを示す平面図である。
【図５】キャップ付きサンプル瓶の第３の実施形態を示す斜視図である。
【図６】キャップ付きサンプル瓶の第４の実施形態を示す斜視図である。
【図７】シート状部材の他の実施形態を示す平面図である。
【図８】中身説明ラベルの他の実施形態を示す平面図である。
【符号の説明】
【００９７】
１  キャップ付きサンプル瓶
２  キャップ
２ａ  キャップの上面
３  瓶本体
３ａ  瓶本体の側面
３ｂ  瓶本体の肩
４  シート状部材（中身表示手段）
４ａ  中身表示を最も長い列として表示できる位置
５  中身表示
６  メモスペース
７  中身説明ラベル
８  メモ欄
９  説明記載領域
１０  シート状部材のチェック欄
１１  メモ欄のチェック欄
１２  メモ欄の罫線
【図１】
2005047627.tif 000003
【図２】
2005047627.tif 000004
【図３】
2005047627.tif 000005
【図４】
2005047627.tif 000006
【図５】
2005047627.tif 000007
【図６】
2005047627.tif 000008
【図７】
2005047627.tif 000009
【図８】
2005047627.tif 000010